(57)【要約】      （修正有）【課題】伸縮性を備えた組み物地から、該組み物地を裁断することなく、縫い目がなく組み組織に連続性を有する布製品を製造する。【解決手段】天然繊維または人工からなる長尺体を一方的に引き揃え、該隣り合う長尺体同士を交差するように反転掛合させて組成した組み物地からなる布製品の製造方法において、繊維組み物地２を折重ねる工程または複数の組み物地２を重ねる工程と、前記重ねた組み物地２同士の組み組織に対して、連結長尺体３Ａを交差するように反転掛合させる工程と、を含む。【選択図】図３
2010084260.tif 000002
【特許請求の範囲】
【請求項１】
天然繊維または人工繊維からなる長尺体を一方向に引き揃え、該隣り合う長尺体同士を互いに交差するように反転掛合させて組成した組み物地からなる布製品の製造方法において、
前記組み物地を折重ねる工程または複数の組み物地を重ねる工程と、
前記重ねた組み物地同士の組み組織に対して、天然繊維または人工繊維からなる連結用長尺体を交差するように反転掛合させる工程と、
を含むことを特徴とする布製品の製造方法。
【請求項２】
前記連結用長尺体が前記組み物地の選ばれた組み組織から抜き取った長尺体または切り取った長尺体であることを特徴とする請求項１に記載の布製品の製造方法。
【請求項３】
前記組み物地から選ばれた組み組織の長尺体の選ばれた範囲を切り取る工程と、前記組み物地に切り残した長尺体の端部を、該組み物地の組み組織に対して固定する工程と、を含むことを特徴とする請求項１または２に記載の布製品の製造方法。
【請求項４】
前記重ねる組み物地における一方の組み物地の長尺体の引き揃え方向に対して、他方の組み物地の長尺体の引き揃え方向を交差させて重ねる工程を含むことを特徴とする請求項１ないし３いずれか１項に記載の布製品の製造方法。
【発明の詳細な説明】
【技術分野】
【０００１】
本発明は、衣服、袋、帯、マフラー、スカーフ等の各種布製品の製造方法に関する。
【背景技術】
【０００２】
組み物地は、その構造により伸縮性を有しており、該組み物地によって伸縮性を有する衣服、袋、帯、マフラー、スカーフ等の各種布製品が製造されている。このような各種布製品を製造する場合、通常、組み物地を裁断するとともに、縫製することで製造している。
【０００３】
しかしながら、前記裁断および縫製することによる製造方法の場合、裁断により端切れが出て無駄であり、縫製部分において縫い目が生じて組み組織の連続性が途切れてしまい、布製品のデザインを損ねるものであった。
【０００４】
なお、本発明に関連する先行技術文献のうち、出願人が本件特許出願時に知っているものがないので、開示すべき先行技術文献情報はない。
【発明の開示】
【発明が解決しようとする課題】
【０００５】
本発明は、このような問題に対処することを課題とするものである。すなわち、伸縮性を備えた組み物地から、該組み物地を裁断することなく、縫い目がなく組み組織に連続性を有する布製品を製造することが本発明の目的である。
【課題を解決するための手段】
【０００６】
前記目的を達成するため、本発明に係る布製品の製造方法は、次の構成を少なくとも具備する。
【０００７】
天然繊維または人工繊維からなる長尺体を一方向に引き揃え、該隣り合う長尺体同士を互いに交差するように反転掛合させて組成した組み物地からなる布製品の製造方法において、前記組み物地を折重ねる工程または複数の組み物地を重ねる工程と、前記重ねた組み物地同士の組み組織に対して、天然繊維または人工繊維からなる連結用長尺体を交差するように反転掛合させる工程と、を含むことを特徴とする。
【０００８】
前記連結用長尺体が前記組み物地の選ばれた組み組織から抜き取った長尺体または切り取った長尺体であることを特徴とする。
【０００９】
前記組み物地から選ばれた組み組織の長尺体の選ばれた範囲を切り取る工程と、前記組み物地に切り残した長尺体の端部を、該組み物地の組み組織に対して固定する工程と、を含むことを特徴とする。
【００１０】
前記重ねる組み物地における一方の組み物地の長尺体の引き揃え方向に対して、他方の組み物地の長尺体の引き揃え方向を交差させて重ねる工程を含むことを特徴とする。
【発明を実施するための最良の形態】
【００１１】
以下、本発明にかかる布製品の製造方法を実施するための最良の形態を図面に基づいて説明する。なお、本発明でいう布製品は、衣服、袋、帯、マフラー、スカーフ等の各種布製品であるが、本実施例では、布製品を衣服として説明する。
【００１２】
図１〜図３は、衣服１の製造方法の第１実施例を示している。本実施例で示す衣服１は、図１に示すようにノースリーブでプルオーバーの上衣である。また、この衣服１は、図２に示す組み物地２を用いて、図３(ａ)〜図３(ｃ)に示す製造方法により製造したものである。図中、符号２０は衿ぐり部、符号２１は前側部、符号２２は後側部、符号２３は袖ぐり部である。
【００１３】
前記組み物地２は、長尺体３を一方向に引き揃え(矢印Ａで示す)、該隣り合う長尺体３同士を互いに交差するように反転掛合させて組成したものである。また、本実施例の組み物地２は、組み組織における組み目４を比較的大きくして組成することで、大きな伸縮性を確保している。前記長尺体３は、絹繊維や木綿繊維等の天然繊維または人工繊維を用いてなる細紐状のものである。また、組み物地２における長尺体３の引き揃え方向の両端部同士を結んだり、他の長尺体を用いて連結したりすることにより、長尺体３の引き揃え方向の端部側にも組み目を形成している。
【００１４】
以下、前記衣服１の製造方法の一例を図３(ａ)〜図３(ｃ)の工程図に基づいて説明する。なお、本実施例の工程図では、組み物地２等を模式的に示す。
【００１５】
第１工程(図３(ａ))：組み物地２の端側から衣服１の製造に使用する連結用長尺体３Ａとして、長尺体３を必要本数(本実施例では２本)抜き取る。なお、この衣服１の製造に使用する連結用長尺体３Ａは、本実施例のように、組み物地２からの抜き取りによって用意するものに限られず、組み物地２から切り取ってもよいし、新たな連結用長尺体３Ａを用意してもよい。
【００１６】
第２工程(図３(ｂ))：組み物地２における衣服１の衿ぐり部２０に対応する部位の折り組織の長尺体３を切り取り、組み物地２に切り残した長尺体３の端部を、該組み物地２の組み組織の長尺体３に対して結び付けて固定して、組み物地２に衿ぐり部２０を形成する。なお、切り残した長尺体３の端部の固定は、本実施例のように、組み組織の長尺体３に対して結び付けるのに限られず、たとえば、接着剤による接着や縫着でもよいが、好ましくは、最も簡単で固定する材料が不要な結び付けによる固定である。
【００１７】
第３工程(図４(ｃ))：組み物地２を前記衿ぐり部２０を境にして二つ折りにして、前側部２１と後側部２２を重ね、該前側部２１と後側部２２の左右端部同士の組み組織に対して、前記第１工程で組み物地２から抜き取った２本の連結用長尺体３Ａを交差するように反転掛合して、前側部２１と後側部２２をつなげる。このとき、左右端部の肩部から中途部に亘る部分を、連結用長尺体３Ａを掛合させない部分として、該部分を袖ぐり部２３として確保し、前記中途部からすそ部２４に亘って連結用長尺体３Ａを反転掛合する。この第３工程で衣服１が完成する。
【００１８】
以上の工程で製造された衣服１は、前記したように縫い目がなく組み組織に連続性を有する優れたデザインを有する。また、前記組み物地２を裁断することなく、前記衣服１を製造しているので、製造時に端切れ等の発生がなく、組み物地２を無駄なく使用することができる。さらに、前記衣服１は、前記組み物地２を用いているので、伸縮性に富み、衣服１を着用する着用者の伸長や体型にかかわらず、衣服１を着用する着用者に対してフィットさせることができる。
【００１９】
また、前記製造方法では、１枚の組み物地２を折り重ねて衣服を製造する方法を例示したが、本発明では、２枚の組み物地を重ねて衣服を製造する方法としてもよい（図示せず）。この場合、２枚の組み物地の一方または両方から必要本数の長尺体を抜き取って連結用長尺体として使用してもよいし、新たな連結用長尺体を用意してもよい（図示せず）。
【００２０】
図４(ａ)〜図４(ｃ)は、衣服の製造方法の第２実施例を示している。本実施例で示す衣服は前記第１実施例と同様のノースリーブでプルオーバーの上衣である(図示せず)。また、この衣服は、前記第１実施例と同様の組み物地２を用いて、図４(ａ)〜図４(ｃ)に示す製造方法により製造したものである。さらに、この衣服は、前側部２１の長尺体３の引き揃え方向(矢印Ａで示す)を、後側部２２の長尺体３の引き揃え方向(矢印Ｂで示す)に対して直交する方向にしているものである。
【００２１】
以下、前記衣服の製造方法を図４(ａ)〜図４(ｃ)の工程図に基づいて説明する。
【００２２】
第１工程(図４(ａ))：組み物地２の組み組織における長尺体３の１本を、その最端部を組み組織に残して抜き取るとともに、組み物地２に残った最端部を組み組織に結び付ける。ここで抜き取った長尺体３は、組み物地２に対して連結された状態で一本の連結長尺体３Ａとして使用される。これにより、組み物地２の前側部２１と後側部２２とを前記最端部のみで連結した略のれん状を呈する状態になる。このとき、組み物地２の端部側から必要本数の長尺体３を連結長尺体３Ａとして抜き取っておく(本実施例では２本)。なお、以下では、組み組織に結び付けた部分を連結部と呼び、該連結部に符号２５を付して説明する。
【００２３】
第２工程(図４(ｂ))：前記前側部２１の長尺体３の引き揃え方向を後側部２２の長尺体３の引き揃え方向に対して直交させて、前記前側部２１が前記後側部２２と重なるように前記連結部２５を折って、該前側部２１を後側部２２に対して重ねる。なお、図示においては、前側部２１と後側部２２の重なりを現すために
【００２４】
第３工程(図４(ｃ))：重ねた前側部２１と後側部２２の各端部同士の組み組織に対して、衿ぐり部２０およびすそ部２４を確保して前記連結長尺体３Ａを反転掛合することで、衣服が完成する。
【００２５】
以上の工程で製造された衣服は、第1実施例の衣服１と同様に、縫い目がなく組み組織の連続性を有するとともに、優れた伸縮性を有している。また、前側部２１の長尺体３の引き揃え方向を後側部２２の長尺体３の引き揃え方向に対して直交させたことにより、前側部２１と後側部２２の伸縮具合が相違し、この伸縮具合の相違によって独特の着心地を得ることができる衣服となる。
【００２６】
なお、第２実施例の製造方法では、組み物地から長尺体を完全に１本抜いて２枚の組み物地として重ねて使用してもよいし、当初から衣服の前側部２１と後側部２２の大きさに組成した組み物地を用いてもよい(図示せず)。
【００２７】
前記第１実施例〜第３実施例の製造方法は、連結長尺体３Ａを組み組織に対して反転掛合する場合、たとえば、糸通し等の周知の用具を用いることにより、手作業で糸を通すように連結長尺体３Ａを組み組織に対して反転掛合することができる。また、いずれの実施例の製造方法においても、伸縮性を備えた組み物地２から、該組み物地２を裁断することなく、縫い目がなく組み組織に連続性を有する衣服を製造することができる。
【００２８】
本発明は、前記第１実施例〜第２実施例による製造方法に限られず、特許請求の範囲の各項に記載された内容から逸脱しない範囲において、他の製造方法を用いることによって、さらに多様なデザインの衣服を製造することができる。
【図面の簡単な説明】
【００２９】
【図１】本発明にかかる製造方法で製造した衣服の一例を示す。
【図２】組み物地の平面図で一部拡大して示す。
【図３】本発明にかかる製造方法の第１実施例の工程図であり、第１工程図(ａ)〜第３工程図(ｃ)で示し、第３工程図(ｃ)において一部を拡大して示す。
【図４】本発明にかかる製造方法の第２実施例の工程図であり、第１工程図(ａ)〜第３工程図(ｃ)で示す。
【符号の説明】
【００３０】
１：衣服
２：組み物地
３：長尺体
４：組み目
３Ａ：連結長尺体
Ａ：引き揃え方向
Ｂ：引き揃え方向
【図１】
2010084260.tif 000003
【図２】
2010084260.tif 000004
【図３】
2010084260.tif 000005
【図４】
2010084260.tif 000006